(57)【要約】【課題】選択した画像を強調表示し見易くすることが可能な表示方法および表示装置を提供する。【解決手段】本表示方法は、第１の仮想軸上に配置された複数の画像のそれぞれを、前記第１の仮想軸と交差するそれぞれの第２の仮想軸を中心に回転し、さらに前記第１の仮想軸を中心に回転して前記複数の画像を表示部に表示させる表示方法であって、前記複数の画像のうち、前記第２の仮想軸に沿った方向に移動することで、選択された画像を強調表示する。【選択図】図３
2020071500.tif 000002
【特許請求の範囲】
【請求項１】
第１の仮想軸上に配置された複数の画像のそれぞれが、前記第１の仮想軸と交差するそれぞれの第２の仮想軸を中心に回転し、さらに前記第１の仮想軸を中心に回転して表示部に表示させる表示方法であって、
前記複数の画像のうち、前記第２の仮想軸に沿った方向に移動されることで、選択された画像を強調表示する、
表示方法。
【請求項２】
前記強調表示とは、前記複数の画像のうち、選択されない画像をグレーアウトして表示する、
請求項１に記載の表示方法。
【請求項３】
前記強調表示とは、前記選択された画像の輪郭線を強調して表示する、
請求項１に記載の表示方法。
【請求項４】
前記選択された画像を所定の時間以上入力指示されることでメニューを表示し、前記メニューへの入力指示により、前記入力指示した画像を前記強調表示する、
請求項１乃至請求項３の何れか一項に記載の表示方法。
【請求項５】
複数の前記選択された画像のうち、第１画像を始点とし、第２画像を終点とする第１区間を選択し、前記第１区間を所定の時間以上入力指示されることでメニューを表示し、前記メニューへの入力指示により、前記第１区間内の画像を前記強調表示する、
請求項１乃至請求項３の何れか一項に記載の表示方法。
【請求項６】
前記複数の画像のうち、所定の画像を選択し、入力指示を与えることにより、選択された前記所定の画像を前記強調表示する、
請求項１乃至請求項５の何れか一項に記載の表示方法。
【請求項７】
前記複数の画像のうち、第３画像を始点とし、第４画像を終点とする第２区間を選択し、入力指示を与えることにより、前記第２区間内の画像を前記強調表示する、
請求項１乃至請求項６の何れか一項に記載の表示方法。
【請求項８】
複数の画像を表示する表示部と、
第１の仮想軸上に配置された前記複数の画像のそれぞれを、前記第１の仮想軸と交差するそれぞれの第２の仮想軸を中心に回転させ、さらに前記第１の仮想軸を中心に回転させた前記複数の画像を生成する画像生成部と、
前記複数の画像のうち、前記第２の仮想軸に沿った方向に移動されることで、選択された画像を強調表示する制御部と、
を備えている、
表示装置。
【発明の詳細な説明】
【技術分野】
【０００１】
本発明は、表示方法および表示装置に関する。
【背景技術】
【０００２】
従来、複数のフォルダーや収納されている複数の画像を画像束として、俯瞰可能に表示し、編集された画像や参照された画像などの選択された画像を見易くするために、画像束から上方に引き上げられた状態で表示する表示方法が開示されている（例えば、特許文献１参照）。
【先行技術文献】
【特許文献】
【０００３】
【特許文献１】特開２０１７−１４２７１１号公報
【発明の概要】
【発明が解決しようとする課題】
【０００４】
しかしながら、特許文献１に記載されている表示方法では、選択された画像、所謂、画像束から引き上げられた画像が、その画像以外の画像に対して目立ち難いため、認識がし難いという課題があった。
【課題を解決するための手段】
【０００５】
本願の表示方法は、第１の仮想軸上に配置された複数の画像のそれぞれが、前記第１の仮想軸と交差するそれぞれの第２の仮想軸を中心に回転し、さらに前記第１の仮想軸を中心に回転して表示部に表示させる表示方法であって、前記複数の画像のうち、前記第２の仮想軸に沿った方向に移動されることで、選択された画像を強調表示する。
【０００６】
上述の表示方法において、前記強調表示とは、前記複数の画像のうち、選択されない画像をグレーアウトして表示することとしても良い。
【０００７】
上述の表示方法において、前記強調表示とは、前記選択された画像の輪郭線を強調して表示することとしても良い。
【０００８】
上述の表示方法において、前記選択された画像を所定の時間以上入力指示されることでメニューを表示し、前記メニューへの入力指示により、前記入力指示した画像を前記強調表示することとしても良い。
【０００９】
上述の表示方法において、複数の前記選択された画像のうち、第１画像を始点とし、第２画像を終点とする第１区間を選択し、前記第１区間を所定の時間以上入力指示されることでメニューを表示し、前記メニューへの入力指示により、前記第１区間内の画像を前記強調表示することとしても良い。
【００１０】
上述の表示方法において、前記複数の画像のうち、所定の画像を選択し、入力指示を与えることにより、選択された前記所定の画像を前記強調表示することとしても良い。
【００１１】
上述の表示方法において、前記複数の画像のうち、第３画像を始点とし、第４画像を終点とする第２区間を選択し、入力指示を与えることにより、前記第２区間内の画像を前記強調表示することとしても良い。
【００１２】
本願の表示装置は、複数の画像で構成されている画像束を表示する表示部と、第１の仮想軸上に配置された前記複数の画像のそれぞれを、前記第１の仮想軸と交差するそれぞれの第２の仮想軸を中心に回転させ、さらに前記第１の仮想軸を中心に回転させた前記複数の画像を生成する画像生成部と、前記複数の画像のうち、前記第２の仮想軸に沿った方向に移動されることで、選択された画像を強調表示する制御部と、を備えている。
【図面の簡単な説明】
【００１３】
【図１】実施形態に係る表示装置の一例としてのスマートフォンの概略を示す外観斜視図。
【図２】表示装置のハードウェア構成を示すブロック図。
【図３】選択された画像としてのサムネイル画像を強調表示した表示例１を示す図。
【図４】選択されたサムネイル画像を強調表示する表示方法１を説明するフローチャート。
【図５Ａ】サムネイル画像を変形させる処理を説明するための図。
【図５Ｂ】サムネイル画像を変形させる処理を説明するための図。
【図５Ｃ】サムネイル画像を変形させる処理を説明するための図。
【図５Ｄ】サムネイル画像を変形させる処理を説明するための図。
【図５Ｅ】サムネイル画像を変形させる処理を説明するための図。
【図６Ａ】表示例１の選択されたサムネイル画像を強調表示する表示方法を説明する図。
【図６Ｂ】表示例１の選択されたサムネイル画像を強調表示する表示方法を説明する図。
【図６Ｃ】表示例１の選択されたサムネイル画像を強調表示する表示方法を説明する図。
【図７】選択されたサムネイル画像を強調表示した表示例２を示す図。
【図８】選択されたサムネイル画像を強調表示する表示方法２を説明するフローチャート。
【図９】選択されたサムネイル画像を強調表示した表示例３を示す図。
【図１０】表示例３の選択されたサムネイル画像を強調表示する表示方法を説明する図。
【図１１】選択されたサムネイル画像を強調表示した表示例４を示す図。
【図１２】表示例４の選択されたサムネイル画像を強調表示する表示方法を説明する図。
【図１３】選択されたサムネイル画像を強調表示した表示例５を示す図。
【図１４】表示例５の選択されたサムネイル画像を強調表示する表示方法を説明する図。
【図１５】選択されたサムネイル画像を強調表示した表示例６を示す図。
【図１６】表示例６の選択されたサムネイル画像を強調表示する表示方法を説明する図。
【発明を実施するための形態】
【００１４】
以下、各図面に沿って、表示装置、および該表示装置への表示方法の実施形態について説明する。なお、以下で説明する実施形態は、特許請求の範囲に記載された本発明の内容を不当に限定するものではない。また、以下の実施形態で説明される構成の全てが、本発明の必須構成要件であるとは限らない。
【００１５】
［実施形態］
＜表示装置＞
先ず、図１、図２、および図３を参照して、実施形態に係る表示装置の構成について説明する。
図１は、実施形態に係る表示装置の一例としてのスマートフォンの概略を示す外観斜視図である。図２は、表示装置のハードウェア構成を示すブロック図である。なお、図２は、表示装置において電子書籍や電子写真の各ページのサムネイル画像およびサムネイル束の表示に係る機能の構成を示したブロック図である。図３は、選択された画像としてのサムネイル画像を強調表示した表示例１を示す図である。
【００１６】
表示装置１００は、図１に示すように、電子書籍や電子写真などを閲覧するための装置であり、フォルダーやファイルに収納されている電子書籍や電子写真などの各ページの画像や表示したい画面の検索画面として、電子書籍や電子写真の各ページを縮小した画像としてのサムネイル画像Ｓ１〜Ｓ１０を表示する。つまり、表示装置１００は、画像を表示可能な電子機器の一例である。なお、以下では、表示装置１００に表示する画像として、図３に示すように、電子書籍や電子写真の各ページを縮小した画像としてのサムネイル画像Ｓ１〜Ｓ１０、サムネイル画像Ｓ１〜Ｓ１０などを並べて表示する画像束としてサムネイル束２１、およびサムネイル画像Ｓ１〜Ｓ１０から選択された画像のページＰ１，Ｐ２を例示して説明する。
【００１７】
また、以下の説明では、「第１の方向」および「第２の方向」を用いている。本明細書における「第１の方向」とは、表示部１４０の表示が判読可能な状態で、表示部１４０を構成する画面をユーザーに正対させたときの水平方向又は横方向であり、第１の仮想軸に沿った方向に相当する。また、「第２の方向」とは、第１の方向と交差する方向であり、表示部１４０の表示が判読可能な状態で、表示部１４０を構成する画面をユーザーに正対させたときの垂直方向又は縦方向であり、第２の仮想軸に沿った方向に相当する。また、表示装置１００や表示部１４０の説明に用いる各図面には、説明の便宜上、互いに直交する２軸を、Ｘ軸、およびＹ軸として設定していている。即ち、Ｘ軸は、表示部１４０の水平方向又は横方向に沿った方向である「第１の方向」、Ｙ軸は、表示部１４０の垂直方向又は縦方向に沿った方向である「第２の方向」と一致している。また、＋Ｙ軸方向を上方、−Ｙ軸方向を下方とも言う。
【００１８】
表示装置１００は、例えばスマートフォンやタブレット型の端末装置などで構成することができる。表示装置１００は、他の情報処理装置（不図示）と、例えばＢｌｕｅｔｏｏｔｈ（登録商標）通信などを例示することができる近距離無線通信や有線通信（不図示）等によって接続されることができる。
【００１９】
本実施形態に係る表示装置１００は、図１に示すように、画像を表示する表示部１４０、およびユーザーに操作される操作ボタンなどの操作部１５０を備えているスマートフォンを例示している。ユーザーは、表示装置１００の液晶ディスプレイ等を用いた表示部１４０に表示された画像を視認することができる。
【００２０】
表示装置１００は、図２に示すように、ハードウェア構成として、画像生成部としてのサムネイル画像生成部１２０および表示画像生成部１３０を含む制御部１１０、表示部１４０、操作部１５０、および記憶部１６０を備えている。
【００２１】
制御部１１０は、サムネイル画像生成部１２０および表示画像生成部１３０を含む。制御部１１０は、ＣＰＵ（Central Processing Unit）、ＲＯＭ（Read Only Memory）、ＲＡＭ（Random Access Memory）等を備えたマイクロコンピューターであり、ＲＯＭに記憶されたプログラムに従って表示装置１００の各部を制御する。制御部１１０は、操作部１５０から送られた信号から操作内容を特定し、特定した内容に応じて、電子書籍のページを送る処理、ページを戻す処理、サムネイル画像Ｓ１〜Ｓ１０、サムネイル束２１、および選択されたページＰ１，Ｐ２などの表示画像を表示部１４０に表示させる処理や選択されたサムネイル画像Ｓ３，Ｓ７，Ｓ９を強調表示する処理などを行う。
【００２２】
具体的に、制御部１１０は、記憶部１６０にアクセスし、電子書籍や電子写真などの各種データを記憶部１６０に書き込んだり読み出したりすることができる。また、制御部１１０は、サムネイル画像生成部１２０、および表示画像生成部１３０に対して、電子書籍や電子写真などの各種データや電子書籍や電子写真などの各種データを縮小したサムネイル画像Ｓ１〜Ｓ１０やサムネイル束２１の画像を生成させたり、それらの表示画像データを生成させたりすることができる。
【００２３】
また、制御部１１０は、図３に示すように、サムネイル画像生成部１２０で生成されたサムネイル画像Ｓ１〜Ｓ１０を、表示画像生成部１３０によって表示部１４０の水平方向である第１の方向（Ｘ軸方向）に並べて配置しサムネイル束２１に生成された画像を表示部１４０に表示する。また、制御部１１０は、図３に示すように、サムネイル束２１に含まれる複数のサムネイル画像Ｓ１〜Ｓ１０からユーザーが選択したページＰ１，Ｐ２をサムネイル束２１の上方に表示する。なお、本実施形態では、ユーザーが選択したサムネイル画像Ｓ１，Ｓ２に対応するページＰ１，Ｐ２を表示している。
【００２４】
また、制御部１１０は、図３に示すように、サムネイル束２１に含まれる複数のサムネイル画像Ｓ１〜Ｓ１０からユーザーが第２の方向（Ｙ軸方向）へ移動することで選択された強調表示したいサムネイル画像Ｓ３，Ｓ７，Ｓ９をサムネイル束２１の高さより上方、つまり第２の方向へ移動し、所定の高さで静止し、強調表示して表示する。なお、本実施形態では、選択されないサムネイル画像Ｓ１，Ｓ２，Ｓ４，Ｓ５，Ｓ６，Ｓ８，Ｓ１０をグレーアウトして表示することで、選択されたサムネイル画像Ｓ３，Ｓ７，Ｓ９を強調表示している。
【００２５】
サムネイル画像生成部１２０は、記憶部１６０から各種データを読み出し、電子書籍や電子写真などの各種データを縮小したサムネイル画像Ｓ１〜Ｓ１０を生成する。
【００２６】
具体的に、サムネイル画像生成部１２０は、表示部１４０を構成する画面の水平方向である第１の方向に沿った第１の仮想軸Ｑ（図５Ｃ参照）上に配置され、第１の方向又は第１の仮想軸Ｑと交差し、表示部１４０の画面の垂直方向である第２の方向に沿った第２の仮想軸Ｍ（図５Ｃ参照）を中心に回転され、さらに第１の仮想軸Ｑを中心に回転された複数の画像としてのサムネイル画像Ｓ１〜Ｓ１０を生成する。なお、このサムネイル画像Ｓ１〜Ｓ１０の生成方法については、後段にて詳細に説明する。
【００２７】
表示画像生成部１３０は、サムネイル画像生成部１２０によって生成された複数のページの各サムネイル画像Ｓ１〜Ｓ１０を、表示部１４０の水平方向である第１の方向に並べて配置したサムネイル束２１の画像を生成する。
【００２８】
表示部１４０は、制御部１１０の指示に基づいて、複数のサムネイル画像Ｓ１〜Ｓ１０を含むサムネイル束２１、および複数のサムネイル画像Ｓ１〜Ｓ１０からユーザーが選択したページＰ１，Ｐ２を画像として表示する。表示部１４０は、例えば液晶ディスプレイとタッチパッドのような位置入力装置を組み合わせたタッチパネルで構成することができる。
【００２９】
操作部１５０は、ユーザーに操作される操作ボタンやタッチパネルなどによって構成されている。操作部１５０は、操作ボタンを押し下げたり、タッチパネルをドラッグアンドドロップやフリックしたりするなどの操作によって生じる操作信号を、制御部１１０へ送ることができる。
【００３０】
記憶部１６０は、書籍データや電子写真データなどを表示部１４０に表示させる画像データとして記憶するメモリーである。なお、記憶部１６０は、ファイルとして、例えば複数の書籍データ（複数のページ）を一つのまとまりとして収納しているファイルや、複数の電子写真データを一つのまとまりとして収納しているファイルなどを記憶することができる。
【００３１】
本実施形態の表示装置１００によれば、表示部１４０を構成する画面の水平方向である第１の方向（Ｘ軸方向）に沿った第１の仮想軸Ｑ上に配置され、第１の仮想軸Ｑと交差し、表示部１４０を構成する画面の第２の方向に沿ったそれぞれの第２の仮想軸Ｍを中心にして回転し、さらに第１の仮想軸Ｑを中心にして回転された画像である複数のサムネイル画像Ｓ１〜Ｓ１０などが表示部１４０に表示されている。また、このサムネイル画像Ｓ１〜Ｓ１０を第１の方向に並べて配置した画像束としてのサムネイル束２１が表示部１４０に表示されている。また、サムネイル束２１を構成する複数のサムネイル画像Ｓ１〜Ｓ１０の中から、ユーザーが第２の方向に移動することで、選択されたサムネイル画像Ｓ３，Ｓ７，Ｓ９は、選択されていないサムネイル画像Ｓ１，Ｓ２，Ｓ４，Ｓ５，Ｓ６，Ｓ８，Ｓ１０をグレーアウトして表示することで、強調表示されている。そのため、選択されていないサムネイル画像Ｓ１，Ｓ２，Ｓ４，Ｓ５，Ｓ６，Ｓ８，Ｓ１０よりも目立つようになり、選択されたサムネイル画像Ｓ３，Ｓ７，Ｓ９を容易に認識することができる。
【００３２】
＜表示方法１＞
［表示例１］
次に、図４を参照して表示装置１００における表示方法１について説明する。
図４は、選択されたサムネイル画像を強調表示する表示方法１を説明するフローチャートであり、表示装置１００で実行される処理の流れを示している。なお、表示装置１００における構成部位に関しては、上述と同符号を付して説明する。
【００３３】
先ず、制御部１１０は、記憶部１６０に記憶されている複数の書籍データや電子写真のファイルから、検索画面として表示するサムネイル束２１を構成するサムネイル画像Ｓ１〜Ｓ１０に対応するファイルデータを読み出す（ステップＳ１０１）。また、制御部１１０は、操作部１５０において、記憶部１６０に記憶されている複数の書籍データや電子写真データの中から一つを選択する操作が行われると、選択されたデータを記憶部１６０から読み出す。
【００３４】
次に、制御部１１０は、記憶部１６０から読み出したファイルデータの各ページのデータをサムネイル画像生成部１２０へ供給する（ステップＳ１０２）。サムネイル画像生成部１２０は、受け取った各ページのデータに基づいてレンダリングした、それぞれのページのサムネイル画像Ｓ１〜Ｓ１０を生成し、表示画像生成部１３０へ供給する（ステップＳ１０３）。
【００３５】
なお、画像としてのサムネイル画像Ｓ１〜Ｓ１０などは、例えば表示部１４０を構成する画面の第１の方向に沿った第１の仮想軸Ｑ（図５Ｃ参照）上に配置され、第１の仮想軸Ｑと交差し、表示部１４０を構成する画面の第２の方向に沿ったそれぞれの第２の仮想軸Ｍ（図５Ｃ参照）を中心にして回転し、さらに第１の仮想軸Ｑを中心にして回転して表示されている画像である。このように、サムネイル画像Ｓ１〜Ｓ１０などは、第１の仮想軸Ｑおよび第２の仮想軸Ｍを中心にして回転されることによって、表示を判読可能な状態で画面をユーザーに正対させたとき、複数のサムネイル画像Ｓ１〜Ｓ１０などで構成されるサムネイル束２１を俯瞰できる状態に変形される。即ち、サムネイル束２１に含まれている複数のサムネイル画像Ｓ１〜Ｓ１０などを斜め上方から斜視し、ユーザーが俯瞰したときと同様なページの見え方となるように、各ページのサムネイル画像Ｓ１〜Ｓ１０などが変形されている。
【００３６】
ここで図５Ａ、図５Ｂ、図５Ｃ、図５Ｄ、および図５Ｅを参照して、サムネイル画像を変形させる処理について説明する。
図５Ａ〜図５Ｅは、サムネイル画像を変形させる処理を説明するための図である。なお、以下、サムネイル画像を変形させる処理についての説明では、上述において付されていたサムネイル画像の符号（Ｓ１〜Ｓ１０）を省略している。
【００３７】
サムネイル画像生成部１２０から供給される各サムネイル画像は、書籍や電子写真などの各ページを平面視した画像であり、図５Ｂに示すように、縦方向の長さをＬ、横方向の長さをＳとした画像Ｐ１ｂである。換言すれば、画像Ｐ１ｂは、縦方向の辺が表示部１４０の第２の方向に沿った表示領域の縦方向と平行であり、横方向の辺が表示部１４０の第１の方向に沿った表示領域の横方向と平行に構成されている。
【００３８】
サムネイル画像生成部１２０は、書籍や電子写真などの各ページを表す各サムネイル画像を変形した画像を生成する。具体的に、サムネイル画像生成部１２０は、各ページについて、図５Ａに示したように、ページＰ１ａを仮想空間内の仮想水平面Ｎに設定された第１の仮想軸Ｑ上に立てて配置し、第１の仮想軸Ｑと交差するそれぞれの第２の仮想軸Ｍを中心にして、ページＰ１ａの横方向が表示領域の横方向に平行な基準位置Ｒから回転角θで回転させる。さらに、サムネイル画像生成部１２０は、仮想空間内においてそれぞれの第２の仮想軸Ｍを中心にして回転されたページＰ１ａを、第１の仮想軸Ｑを中心にして俯角φ（不図示）で回転させた画像を生成する。即ち、サムネイル画像生成部１２０は、仮想空間内において、第２の仮想軸Ｍを中心にして回転されたページＰ１ａの上辺より上の視点から、ページＰ１ａを俯角φ（不図示）で斜めに見下ろしている画像を生成する。換言すれば、各サムネイル画像を変形した画像は、仮想空間内においてページＰ１ａの上辺より上の視点からページＰ１ａを俯角φ（不図示）で斜視し、俯瞰している画像として生成される。なお、ページを回転させていない場合、ページの横方向が表示領域の横方向（第１の方向）に平行な状態であり、回転角θは０°である。また、俯角φは予め定められた角度となっている。また、第２の仮想軸Ｍは、ページの縦方向（第２の方向）の辺に沿って平行である構成に限定されるものではなく、ページの横方向の辺と交差する構成であってもよい。
【００３９】
具体的には、先ず、サムネイル画像生成部１２０は、各ページを正面から見た画像Ｐ１ｂ（図５Ｂ参照）に対して、図５Ｃに示すように、横幅を変化させないようにしつつ、縦方向の変形を加え、図５Ｂの画像Ｐ１ｂの右辺を左辺に対してＳ・ｓｉｎθ・ｔａｎφだけずらした画像Ｐ１ｃを生成する。次に、サムネイル画像生成部１２０は、図５Ｄに示すように、図５Ｃの画像Ｐ１ｃを、ｃｏｓφの倍率で横方向に縮小した画像Ｐ１ｄを生成する。この結果、画像Ｐ１ｄの横幅は、Ｓ・ｃｏｓφとなる。そして、サムネイル画像生成部１２０は、最後に図５Ｅに示すように、図５Ｄの画像Ｐ１ｄをｃｏｓφの倍率で縦方向に縮小した画像Ｐ１ｅを生成する。この結果、画像Ｐ１ｅの縦方向の寸法は、L・ｃｏｓφとなる。これにより、ページを第２の仮想軸Ｍを中心にして回転角θで回転させ、さらに、第１の仮想軸Ｑを中心に回転させた画像Ｐ１ｅが得られる。換言すれば、ページを第２の仮想軸Ｍを中心にして回転角θで回転させ、且つ、ページの上辺より上の視点からページを俯角φで見下ろした時の画像Ｐ１ｅが得られる。
【００４０】
なお、回転角θは、選択ページデータで特定される選択ページについては予め定められた回転角θ１にされ、選択ページの一つ前のページについては、予め定められた回転角−θ１にされる。また、選択ページ以外のページについては、選択ページからページ番号が離れるにつれて回転角θは徐々に大きな角度にされ、選択ページより後のページの回転角θは、本実施形態においては、θ１＜θ＜９０°の範囲にされ、選択ページより前のページの回転角θは、本実施形態においては、−θ１＞−θ＞−９０°の範囲にされる。
【００４１】
図４に戻り、表示画像生成部１３０は、サムネイル画像生成部１２０から供給されたそれぞれのページのサムネイル画像Ｓ１〜Ｓ１０を、第１の方向に並ぶように配置したサムネイル束２１を生成する（ステップＳ１０４）。
【００４２】
そして、表示画像生成部１３０は、画像束として生成したサムネイル束２１の表示画像を生成する（ステップＳ１０５）。ここで、表示画像生成部１３０は、変形後の複数のサムネイル画像Ｓ１〜Ｓ１０を、図３に示すように、隣り合う画像と部分的に重なるように配置して、サムネイル束２１を構成する。
【００４３】
そして、制御部１１０は、表示画像生成部１３０によって生成された複数のサムネイル画像Ｓ１〜Ｓ１０を、サムネイル束２１として表示部１４０に表示する（ステップＳ１０６）。
【００４４】
次に、制御部１１０は、複数のサムネイル画像Ｓ１〜Ｓ１０からユーザーが操作部１５０を操作することで選択したサムネイル画像Ｓ１，Ｓ２に対応するページＰ１，Ｐ２を記憶部１６０から読み出し、表示部１４０のサムネイル束２１が表示されている上方に表示する（ステップＳ１０７）。
【００４５】
次に、編集された画像や参照された画像などの選択された画像を見易くするために、選択したサムネイル画像Ｓ３，Ｓ７，Ｓ９を強調表示する方法を図６Ａ、図６Ｂ、および図６Ｃを参照して説明する。
図６Ａ〜図６Ｃは、表示例１の選択されたサムネイル画像を強調表示する表示方法を説明する図である。なお、図６Ｂおよび図６Ｃは、表示部１４０のサムネイル束２１が表示されている領域のみを表示している。
【００４６】
図６Ａは、サムネイル画像Ｓ１〜Ｓ１０を強調表示していない状態の画面である。この状態から、ユーザーが操作部１５０により、強調表示するためのサムネイル画像Ｓ３をサムネイル束２１から上方である第２の方向へ移動する（ステップＳ１０８）。本実施形態では、タッチパネルにおいて、図６Ｂに示すように、ユーザーが選択したサムネイル画像Ｓ３を指でドラッグし、上方である第２の方向へ移動することで生じる操作信号を制御部１１０へ送り、制御部１１０によって選択されたサムネイル画像Ｓ３を上方に移動する。
その後、制御部１１０は、選択されたサムネイル画像Ｓ３を所定の高さに表示する（ステップＳ１０９）。また、タッチパネルにおいて、選択したサムネイル画像Ｓ３を指でドラッグし、所定の高さより更に上方へ移動しても、指を離すと下方に移動し所定の高さに表示するように制御されている。なお、所定の高さとは、サムネイル束２１の上方の端部から選択されたサムネイル画像Ｓ３の第２の方向の長さが１／４〜３／４程度上方に突出する高さである。
【００４７】
次に、制御部１１０は、ステップＳ１１０において、選択されたサムネイル画像Ｓ３が強調表示されている場合（Ｙｅｓ）には、ステップＳ１１２に進む。また、選択されたサムネイル画像Ｓ３が強調表示されていない場合（Ｎｏ）には、ステップＳ１１１に進み、図６Ｃに示すように、選択されたサムネイル画像Ｓ３を強調表示する。なお、本実施形態では、選択されていないサムネイル画像Ｓ１，Ｓ２，Ｓ４〜Ｓ１０をグレーアウトして表示することで、選択されたサムネイル画像Ｓ３を強調表示している。
【００４８】
次に、ユーザーは、ステップＳ１１２において、更に、別の画像の強調表示をしない場合（Ｎｏ）には、画像を強調表示する表示方法１を終了する。また、更に、別の画像の強調表示をする場合（Ｙｅｓ）には、ステップＳ１０８に進み、ステップＳ１０８からステップＳ１１２の処理を繰り返し実施する。なお、ステップＳ１１１の強調表示とは、次に、強調表示するために選択されたサムネイル画像Ｓ７，Ｓ９のグレーアウトされた表示を元の画像に戻すことである。つまり、グレーアウトされていない表示に戻すことである。
以上で複数のサムネイル画像Ｓ１〜Ｓ１０から、ユーザーが第２の方向へ移動することで選択されたサムネイル画像Ｓ３，Ｓ７，Ｓ９を強調表示する表示方法１を終了する。
【００４９】
上述のような表示例１の表示方法によれば、表示部１４０を構成する画面の水平方向である第１の方向（Ｘ軸方向）に沿った第１の仮想軸Ｑ上に配置され、第１の仮想軸Ｑと交差し、表示部１４０を構成する画面の第２の方向に沿ったそれぞれの第２の仮想軸Ｍを中心にして回転し、さらに第１の仮想軸Ｑを中心にして回転された画像である複数のサムネイル画像Ｓ１〜Ｓ１０を用いたサムネイル束２１を生成し表示する。また、サムネイル束２１を構成する複数のサムネイル画像Ｓ１〜Ｓ１０の中から、ユーザーが第２の方向へ移動することで強調表示するために選択されたサムネイル画像Ｓ３，Ｓ７，Ｓ９は、選択されていないサムネイル画像Ｓ１，Ｓ２，Ｓ４，Ｓ５，Ｓ６，Ｓ８，Ｓ１０をグレーアウトして表示することで、強調表示している。そのため、選択されていないサムネイル画像Ｓ１，Ｓ２，Ｓ４，Ｓ５，Ｓ６，Ｓ８，Ｓ１０よりも目立つようになり、選択されたサムネイル画像Ｓ３，Ｓ７，Ｓ９を容易に認識することができる。
【００５０】
［表示例２］
次に、図７を参照して上述した強調表示と異なる強調表示について説明する。
図７は、選択されたサムネイル画像を強調表示した表示例２を示す図である。なお、図７は、表示部１４０のサムネイル束２１が表示されている領域のみを表示している。
図７に示すように、制御部１１０が、第２の方向へ移動することで選択されたサムネイル画像Ｓ３，Ｓ７，Ｓ９の輪郭線を、選択されていないサムネイル画像Ｓ１，Ｓ２，Ｓ４，Ｓ５，Ｓ６，Ｓ８，Ｓ１０の輪郭線よりも太くして表示することで強調表示している。そのため、選択されていないサムネイル画像Ｓ１，Ｓ２，Ｓ４，Ｓ５，Ｓ６，Ｓ８，Ｓ１０よりも目立つようになり、選択されたサムネイル画像Ｓ３，Ｓ７，Ｓ９を容易に認識することができる。
【００５１】
＜表示方法２＞
［表示例３］
次に、強調表示するために選択された画像を第２の方向へ移動せずに強調表示することができる表示装置１００における表示方法２と表示例３について、図８、図９、および図１０を参照して説明する。
図８は、選択されたサムネイル画像を強調表示する表示方法２を説明するフローチャートであり、表示装置１００で実行される処理の流れを示している。図９は、選択されたサムネイル画像を強調表示した表示例３を示す図である。図１０は、表示例３の選択されたサムネイル画像を強調表示する表示方法を説明する図である。なお、表示方法２および表示例３の説明においても、表示装置１００における構成部位に関しては、上述と同符号を付して説明する。
【００５２】
表示方法１で選択された画像を強調表示した表示例１において、更に、図９に示すように、選択され強調表示された２つのサムネイル画像Ｓ３，Ｓ７の間の３つのサムネイル画像Ｓ４，Ｓ５，Ｓ６を強調表示する場合、図８に示す表示方法２で選択した画像を強調表示することができる。
【００５３】
先ず、表示例１でサムネイル画像Ｓ３，Ｓ７，Ｓ９が強調表示された画面において、ユーザーは、操作部１５０により強調表示するサムネイル画像Ｓ４，Ｓ５，Ｓ６を選択し入力指示をする（ステップＳ２０１）。例えば、タッチパネルにおいて、ユーザーは、図１０に示すように、強調表示された２つのサムネイル画像Ｓ３，Ｓ７で、第１画像としてのサムネイル画像Ｓ３を始点とし、第２画像としてのサムネイル画像Ｓ７を終点とする第１区間Ｗ１を選択し、第１区間Ｗ１を指でタッチする。制御部１１０は、入力指示された位置を確認し（ステップＳ２０２）、選択された画像がサムネイル画像Ｓ４，Ｓ５，Ｓ６であることを確認する。なお、複数の第２の方向に移動し強調表示された画像がある場合、２つの強調表示された画像に挟まれた区間を入力指示することで、その区間の画像が選択されるように、予め設定されている。
【００５４】
次に、ステップＳ２０３において、所定の時間以上入力指示していない、例えば、入力指示とみなす指のぶれ量以下の場合（Ｎｏ）には、ステップＳ２０６に進む。また、所定の時間以上入力指示している、つまり長押ししている場合（Ｙｅｓ）には、ステップＳ２０４へ進み、制御部１１０は、サムネイル束２１の上方に、メニューを表示する。なお、所定の時間とは、例えば、１秒以上の時間である。また、メニューとは、例えば、メニュー画像Ｍ１，Ｍ２，Ｍ３，Ｍ４などで構成されており、メニュー画像Ｍ１は、前画面に戻す機能、メニュー画像Ｍ２は、指定した画像を強調表示する機能、メニュー画像Ｍ３は、指定した画像のページを表示する機能、メニュー画像Ｍ４は、指定した画像を削除する機能、をそれぞれ有している。
【００５５】
第１区間Ｗ１に位置する３つのサムネイル画像Ｓ４，Ｓ５，Ｓ６を強調表示する場合は、メニュー画像Ｍ２を操作部１５０で指示する（ステップＳ２０５）。なお、タッチパネルの場合は、メニュー画像Ｍ２をタッチする。
【００５６】
次に、制御部１１０は、第１区間Ｗ１を指示することで選択されたサムネイル画像Ｓ４，Ｓ５，Ｓ６を強調表示する（ステップＳ２０６）。なお、ステップＳ２０６の強調表示とは、強調表示するために選択されたサムネイル画像Ｓ４，Ｓ５，Ｓ６のグレーアウトされた表示を元の画像に戻すことである。つまり、グレーアウトされていない表示に戻すことである。
【００５７】
次に、ステップＳ２０７において、第１区間Ｗ１以外の区間を選択し、強調表示する場合（Ｙｅｓ）は、ステップＳ２０１に進み、同様の操作を実施する。また、別の区間の画像の強調表示をしない場合（Ｎｏ）は、入力指示により画像を強調表示する表示方法２を終了する。
【００５８】
上述のような表示例３の表示方法によれば、強調表示された第１画像としてのサムネイル画像Ｓ３を始点とし、強調表示された第２画像としてのサムネイル画像Ｓ７を終点とする第１区間Ｗ１を選択し、第１区間Ｗ１を所定の時間以上入力指示することでメニューが表示され、メニューへの入力指示により、第１区間Ｗ１内のサムネイル画像Ｓ４，Ｓ５，Ｓ６を強調表示することができる。そのため、指定した第１区間Ｗ１内のサムネイル画像Ｓ４，Ｓ５，Ｓ６を容易に認識することができる。
【００５９】
［表示例４］
次に、図１１および図１２を参照して表示例４について説明する。
図１１は、選択されたサムネイル画像を強調表示した表示例４を示す図である。図１２は、表示例４の選択されたサムネイル画像を強調表示する表示方法を説明する図である。なお、表示方法２および表示例４の説明においても、表示装置１００における構成部位に関しては、上述と同符号を付して説明する。
【００６０】
表示方法１で選択された画像を強調表示した表示例１において、更に、図１１に示すように、選択され強調表示された２つのサムネイル画像Ｓ２，Ｓ８を強調表示する場合、表示例３と同様に、図８に示す表示方法２によって選択した画像を強調表示することができる。
【００６１】
先ず、表示例１でサムネイル画像Ｓ３，Ｓ７，Ｓ９が強調表示された画面において、ユーザーは、操作部１５０により既に強調表示させたサムネイル画像Ｓ３，Ｓ７，Ｓ９の何れかから１つのサムネイル画像を選択し、例えば、サムネイル画像Ｓ３を選択し、入力指示をする（ステップＳ２０１）。例えば、タッチパネルにおいて、ユーザーは、図１２に示すように、強調表示されたサムネイル画像Ｓ３を指でタッチする。制御部１１０は、入力指示された位置を確認し（ステップＳ２０２）、選択された画像がサムネイル画像Ｓ３であることを確認する。
【００６２】
次に、ステップＳ２０３において、所定の時間以上入力指示している、つまり長押ししている場合（Ｙｅｓ）には、ステップＳ２０４へ進み、制御部１１０は、サムネイル束２１の上方に、メニューを表示する。
【００６３】
次に、サムネイル画像Ｓ２，Ｓ８を強調表示する場合は、メニュー画像Ｍ２を操作部１５０で入力指示する（ステップＳ２０５）。なお、タッチパネルの場合は、ユーザーがメニュー画像Ｍ２をタッチし、その後、強調表示したいサムネイル画像Ｓ２，Ｓ８をそれぞれタッチすることで入力指示する。
【００６４】
次に、制御部１１０は、入力指示されたサムネイル画像Ｓ２，Ｓ８のグレーアウトされた表示を元の画像に戻すことで強調表示する（ステップＳ２０６）。
【００６５】
上述のような表示例４の表示方法によれば、強調表示されたサムネイル画像Ｓ３，Ｓ７，Ｓ９以外に、新たに強調表示させたいサムネイル画像Ｓ２，Ｓ８がある場合は、既に強調表示されたサムネイル画像Ｓ３，Ｓ７，Ｓ９から１つのサムネイル画像Ｓ３を選択し、サムネイル画像Ｓ３を所定の時間以上入力指示することでメニューが表示され、メニューへの入力指示により、新たに強調表示させたいサムネイル画像Ｓ２，Ｓ８を強調表示することができる。そのため、入力指示により、強調表示を指定したサムネイル画像Ｓ２，Ｓ８を容易に認識することができる。
【００６６】
［表示例５］
次に、図１３および図１４を参照して表示例５について説明する。
図１３は、選択されたサムネイル画像を強調表示した表示例５を示す図である。図１４は、表示例５の選択されたサムネイル画像を強調表示する表示方法を説明する図である。なお、表示方法２および表示例５の説明においても、表示装置１００における構成部位に関しては、上述と同符号を付して説明する。
【００６７】
表示方法１で選択された画像を強調表示した表示例１において、更に、図１３に示すように、強調表示させたい２つのサムネイル画像Ｓ２，Ｓ６と、２つのサムネイル画像Ｓ２，Ｓ６の間の既に強調表示されているサムネイル画像Ｓ３を除くサムネイル画像Ｓ４，Ｓ５と、を強調表示する場合、図８に示す表示方法２で選択した画像を強調表示することができる。
【００６８】
先ず、表示例１でサムネイル画像Ｓ３，Ｓ７，Ｓ９が強調表示された画面において、ユーザーは、操作部１５０により強調表示するサムネイル画像Ｓ２，Ｓ４，Ｓ５，Ｓ６を選択し入力指示をする（ステップＳ２０１）。例えば、タッチパネルにおいて、ユーザーは、図１４に示すように、強調表示させたい２つのサムネイル画像Ｓ２，Ｓ６で、第３画像としてのサムネイル画像Ｓ２を始点とし、第４画像としてのサムネイル画像Ｓ６を終点とする第２区間Ｗ２を選択し、第２区間Ｗ２のサムネイル画像Ｓ２からサムネイル画像Ｓ６までを指でドラッグする。制御部１１０は、入力指示された位置を確認し（ステップＳ２０２）、選択された画像がサムネイル画像Ｓ２，Ｓ４，Ｓ５，Ｓ６であることを確認する。なお、設定された区間に既に強調表示された画像がある場合、その画像を除き強調表示する画像を選択されるように、予め設定されている。
【００６９】
次に、ステップＳ２０３において、所定の時間以上入力指示していない、例えば、入力指示とみなす指のぶれ量以下の場合（Ｎｏ）なので、ステップＳ２０６に進み、制御部１１０は、第２区間Ｗ２に位置する４つのサムネイル画像Ｓ２，Ｓ４，Ｓ５，Ｓ６のグレーアウトされた表示を元の画像に戻すことで強調表示する。
【００７０】
上述のような表示例５の表示方法によれば、強調表示させたい第３画像としてのサムネイル画像Ｓ２を始点とし、強調表示させたい第４画像としてのサムネイル画像Ｓ６を終点とする第２区間Ｗ２を選択し、第２区間Ｗ２にドラッグなどの入力指示を与えることにより、第２区間Ｗ２内のサムネイル画像Ｓ２，Ｓ４，Ｓ５，Ｓ６を強調表示することができる。そのため、指定した第２区間Ｗ２内のサムネイル画像Ｓ２，Ｓ４，Ｓ５，Ｓ６を容易に認識することができる。
【００７１】
［表示例６］
次に、図１５および図１６を参照して表示例６について説明する。
図１５は、選択されたサムネイル画像を強調表示した表示例６を示す図である。図１６は、表示例６の選択されたサムネイル画像を強調表示する表示方法を説明する図である。なお、表示方法２および表示例６の説明においても、表示装置１００における構成部位に関しては、上述と同符号を付して説明する。
【００７２】
表示方法１で選択した画像を強調表示した表示例１において、更に、図１５に示すように、強調表示させたいサムネイル画像Ｓ２を強調表示する場合、表示例５と同様に、図８に示す表示方法２で選択した画像を強調表示することができる。
【００７３】
先ず、表示例１でサムネイル画像Ｓ３，Ｓ７，Ｓ９が強調表示された画面において、ユーザーは、操作部１５０により強調表示させたいサムネイル画像Ｓ２を選択し入力指示をする（ステップＳ２０１）。例えば、タッチパネルにおいて、ユーザーは、図１６に示すように、強調表示させるサムネイル画像Ｓ２を指でタッチする。制御部１１０は、入力指示された位置を確認し（ステップＳ２０２）、選択された画像がサムネイル画像Ｓ２であることを確認する。
【００７４】
次に、ステップＳ２０３において、所定の時間以上入力指示していない場合、例えば、入力指示とみなす指のぶれ量以下の（Ｎｏ）なのでステップＳ２０６に進み、制御部１１０は、選択したサムネイル画像Ｓ２のグレーアウトされた表示を元の画像に戻すことで強調表示する。
【００７５】
上述のような表示例６の表示方法によれば、強調表示されたサムネイル画像Ｓ３，Ｓ７，Ｓ９以外に、新たに強調表示させたいサムネイル画像Ｓ２を選択し、タッチなどの入力指示を与えることにより、サムネイル画像Ｓ２を強調表示することができる。そのため、強調表示を指定したサムネイル画像Ｓ２を容易に認識することができる。
【００７６】
以下に、上述した実施形態から導き出される内容を記載する。
【００７７】
表示方法は、第１の仮想軸上に配置された複数の画像のそれぞれが、前記第１の仮想軸と交差するそれぞれの第２の仮想軸を中心に回転し、さらに前記第１の仮想軸を中心に回転して表示部に表示させる表示方法であって、前記複数の画像のうち、前記第２の仮想軸に沿った方向に移動されることで、選択された画像を強調表示する。
【００７８】
この表示方法によれば、複数の画像の中から、第２の仮想軸に沿った方向に移動することで選択された画像が強調表示されているため、選択されていない画像よりも目立つようになり、選択された画像を容易に認識することができる。
【００７９】
上述の表示方法において、前記強調表示とは、前記複数の画像のうち、選択されない画像をグレーアウトして表示することとしても良い。
【００８０】
この表示方法によれば、選択されない画像をグレーアウトして表示することにより、選択された画像が相対的に明るくなり、選択された画像を容易に認識することができる。
【００８１】
上述の表示方法において、前記強調表示とは、前記選択された画像の輪郭線を強調して表示することとしても良い。
【００８２】
この表示方法によれば、選択された画像の輪郭線を強調して表示することにより、選択されていない画像よりも目立つようになり、選択された画像を容易に認識することができる。
【００８３】
上述の表示方法において、前記選択された画像を所定の時間以上入力指示されることでメニューを表示し、前記メニューへの入力指示により、前記入力指示した画像を前記強調表示することとしても良い。
【００８４】
この表示方法によれば、強調表示された選択された画像以外で、入力指示した画像を強調表示することができるので、入力指示した画像を容易に認識することができる。
【００８５】
上述の表示方法において、複数の前記選択された画像のうち、第１画像を始点とし、第２画像を終点とする第１区間を選択し、前記第１区間を所定の時間以上入力指示されることでメニューを表示し、前記メニューへの入力指示により、前記第１区間内の画像を前記強調表示することとしても良い。
【００８６】
この表示方法によれば、強調表示された選択された画像以外で、指定した第１区間内の画像を強調表示することができるので、指定した第１区間内の画像を容易に認識することができる。
【００８７】
上述の表示方法において、前記複数の画像のうち、所定の画像を選択し、入力指示を与えることにより、選択された前記所定の画像を前記強調表示することとしても良い。
【００８８】
この表示方法によれば、強調表示された選択された画像以外で、指定した所定の画像を強調表示することができるので、指定した所定の画像を容易に認識することができる。
【００８９】
上述の表示方法において、前記複数の画像のうち、第３画像を始点とし、第４画像を終点とする第２区間を選択し、入力指示を与えることにより、前記第２区間内の画像を前記強調表示することとしても良い。
【００９０】
この表示方法によれば、強調表示された選択された画像以外で、指定した第２区間内の画像を強調表示することができるので、指定した第２区間内の画像を容易に認識することができる。
【００９１】
表示装置は、複数の画像を表示する表示部と、第１の仮想軸上に配置された前記複数の画像のそれぞれを、前記第１の仮想軸と交差するそれぞれの第２の仮想軸を中心に回転させ、さらに前記第１の仮想軸を中心に回転させた前記複数の画像を生成する画像生成部と、前記複数の画像のうち、前記第２の仮想軸に沿った方向に移動されることで、選択された画像を強調表示する制御部と、を備えている。
【００９２】
この表示装置によれば、複数の画像の中から、第２の仮想軸に沿った方向に移動することで選択された画像を強調表示することができるため、選択されていない画像よりも目立つようになり、選択された画像を容易に認識することができる。
【符号の説明】
【００９３】
２１…サムネイル束、１００…表示装置、１１０…制御部、１２０…サムネイル画像生成部、１３０…表示画像生成部、１４０…表示部、１５０…操作部、１６０…記憶部、Ｍ…第２の仮想軸、Ｍ１，Ｍ２，Ｍ３，Ｍ４…メニュー画像、Ｎ…仮想水平面、Ｐ１，Ｐ１ａ…ページ、Ｐ１ｂ，Ｐ１ｃ，Ｐ１ｄ，Ｐ１ｅ…画像、Ｑ…第１の仮想軸、Ｒ…基準位置、Ｓ１，Ｓ２，Ｓ３，Ｓ４，Ｓ５，Ｓ６，Ｓ７，Ｓ８，Ｓ９，Ｓ１０…画像としてのサムネイル画像、Ｗ１…第１区間、Ｗ２…第２区間、θ…回転角。
【図１】
2020071500.tif 000003
【図２】
2020071500.tif 000004
【図３】
2020071500.tif 000005
【図４】
2020071500.tif 000006
【図５Ａ】
2020071500.tif 000007
【図５Ｂ】
2020071500.tif 000008
【図５Ｃ】
2020071500.tif 000009
【図５Ｄ】
2020071500.tif 000010
【図５Ｅ】
2020071500.tif 000011
【図６Ａ】
2020071500.tif 000012
【図６Ｂ】
2020071500.tif 000013
【図６Ｃ】
2020071500.tif 000014
【図７】
2020071500.tif 000015
【図８】
2020071500.tif 000016
【図９】
2020071500.tif 000017
【図１０】
2020071500.tif 000018
【図１１】
2020071500.tif 000019
【図１２】
2020071500.tif 000020
【図１３】
2020071500.tif 000021
【図１４】
2020071500.tif 000022
【図１５】
2020071500.tif 000023
【図１６】
2020071500.tif 000024